(57)【要約】      （修正有）【課題】枠幅が異なる三方枠の大量生産によるロット効果の拡大、工作、設計の省力化が可能で、顧客の意匠変更要求への対応を容易にし得るエレベータの三方枠装置を得る。【解決手段】エレベータの三方枠を構成するパネル部材を、乗場側に配設された前部パネル部材１１と、昇降路側に配設された後部パネル部材１３と、これら前部パネル部材及び後部パネル部材の間に配設された中間部パネル部材１２を用いて構成し、中間部パネル部材にバリエーションをもたせ得るように構成したものである。【選択図】図１
2008100800.tif 000002
【特許請求の範囲】
【請求項１】
エレベータの三方枠を構成するパネル部材が、乗場側に配設された前部パネル部材と、昇降路側に配設された後部パネル部材と、これら前部パネル部材及び後部パネル部材の間に配設された中間部パネル部材を用いて構成されてなることを特徴とするエレベータの三方枠装置。
【請求項２】
上記中間部パネル部材は、上記前部パネル部材及び上記後部パネル部材相互に対して、着脱可能に固定されていることを特徴とする請求項１記載のエレベータの三方枠装置。
【請求項３】
上記中間部パネル部材はヒンジを備え、着脱時に隣接する前部パネル部材に対して回動可能に構成されていることを特徴とする請求項１または請求項２記載のエレベータの三方枠装置。
【請求項４】
上記後部パネル部材は、昇降路側に面する後見付部がヒンジにより回動可能に固定されていることを特徴とする請求項１ないし請求項３の何れかに記載のエレベータの三方枠装置。
【請求項５】
上記三方枠を構成する上枠における上記縦枠との結合部に、締結ボルトを挿通する長穴が形成されていることを特徴とする請求項１ないし請求項４の何れかに記載のエレベータの三方枠装置。
【請求項６】
上記中間部パネル部材として、形状または枠幅寸法が異なる複数のパネル部材が用意されてなることを特徴とする請求項１ないし請求項５の何れかに記載のエレベータの三方枠装置。
【発明の詳細な説明】
【技術分野】
【０００１】
この発明はエレベータの三方枠装置に関し、更に詳細にはさまざまな枠幅、及び据付後の意匠変更への対応も容易なエレベータの三方枠装置に関する。
【背景技術】
【０００２】
従来のエレベーターの三方枠装置として、エレベーターの昇降路の開口部に嵌合状態に配置され、上記エレベーターの乗場出入口の縁部を形成する三方枠と、この三方枠の両側に設けられて横断面溝形をなし溝形の開口部がそれぞれ上記昇降路開口部の上下方向に沿う縁部と対向して配置される側枠と、板状をなし上記側枠の溝形内に水平に配置されて上記溝形内を充塞した形態に装着され、上記側枠の長手方向に互いに離れて配置されて、上記側枠裏面の補強材と上記側枠における溝形の両側壁相互の連結部材を兼ね、上記昇降路開口部の上下方向に沿う縁部から突出したアンカーが連結される付加部材とを備えたものがある（例えば特許文献１参照。）。
【０００３】
【特許文献１】特開２００３−４０５６７号公報（第１頁、図１）
【発明の開示】
【発明が解決しようとする課題】
【０００４】
上記のような従来の構成においては、据付先の対象に応じて様々な枠幅対応で形状の違う製品を製作しなければならず必然的に共有部品が少なくなる為、大量生産におけるロット効果が微少であり、部品のストック、流用も困難であるという課題があった。また、一度建物に据付けてしまうと上枠と縦枠は完全に固定されてしまう為、三方枠を取り外すことは事実上不可能で、例えば据付後に顧客要求に対応して意匠変更することなどはほとんど不可能であるという課題があった。
【０００５】
この発明は、かかる従来後術の課題を解消するためになされたものであり、枠幅が異なる三方枠の大量生産によるロット効果の拡大や、工作、設計の省力化が可能で、顧客の意匠変更要求への対応を容易にし得るエレベータの三方枠装置を提供することを目的としている。
【課題を解決するための手段】
【０００６】
この発明に係るエレベータの三方枠装置は、エレベータの三方枠を構成するパネル部材を、乗場側に配設された前部パネル部材と、昇降路側に配設された後部パネル部材と、これら前部パネル部材及び後部パネル部材の間に配設された中間部パネル部材を用いて構成するようにしたものである。
【発明の効果】
【０００７】
この発明においては、三方枠を構成するパネル部材を、乗場側に配設された前部パネル部材と、昇降路側に配設された後部パネル部材と、これら前部パネル部材及び後部パネル部材の間に配設された中間部パネル部材を用いて分割構成したことにより、中央部に配設される中間部パネル部材を変更することで、幅が異なる三方枠に対して柔軟に対応できるようになり、大量生産によるロット効果の拡大、工作、設計の省力化が可能となる。また、分割方式の為、顧客の意匠変更要求などに対する対応も容易となる。
【発明を実施するための最良の形態】
【０００８】
実施の形態１．
図１〜図５はこの発明の実施の形態１によるエレベータの三方枠装置の要部を説明するもので、図１は縦枠設置部の水平方向断面図、図２は上枠の鉛直方向断面図、図３は上枠と縦枠の締付部を示す斜視図、図４は図１に示す縦枠の第１の変形例を示す水平方向断面図、図５は同じく第２の変形例を示す水平方向断面図である。なお、各図を通じて同一符号は同一もしくは相当部分を示すものとする。図において、三方枠を構成する縦枠１は枠幅方向に３分割され、乗場側（図１の下部側）に配設された前部パネル部材１１と、昇降路側（図１の上部側）に配設された後部パネル部材１３と、これら前部パネル部材１１及び後部パネル部材１３の間に配設された中間部パネル部材１２（１２Ａ（図４の第１の変形例）、または１２Ｂ（図５の第２の変形例））を用いて構成されている。
【０００９】
なお、図１は乗場側から見て左側の縦枠を示しており、右側の縦枠は図示省略しているが左側の縦枠と線対称的に同様に構成されている。前部パネル部材１１には折返し部１１ａ、及び連結用の折曲部１１ｂが設けられ、中間部パネル部材１２には連結用の折曲部１２ａ、１２ｂが設けられている。後部パネル部材１３には連結用の折曲部１３ａ、後見付部１３ｂ、及び折返し部１３ｃが設けられ、隣接するパネル部材は折曲部において、ボルト、及びナットからなる締結具２によって相互に連結され一体化されている。
【００１０】
なお、後部パネル部材１３の後見付部１３ｂは、締結具２に対する昇降路側からの操作を容易にするために、締結具２に対応する高さ方向の一部分が折返し部１３ｃに対してヒンジ１３１によって矢印Ａのように窓を開閉する如く回動可能に取り付けられており、該後見付部１３ｂを閉じたときには図示省略している係止具によって、振動等では開かないように構成されている。上記縦枠１は建屋壁３の開口部３ａに設けられた図示省略しているアンカー等に固定され、前部パネル部材１１の折返し部１１ａは建屋壁３の表面に施工された仕上材４によって一体的に仕上げられている。
【００１１】
一方、三方枠を構成する上枠５は、図２に示すように前部上枠（パネル）部材５１、後部上枠（パネル）部材５３、及びその間に配設された中間部上枠（パネル）部材５２からなり、縦枠１と同様に３分割されたパネル部材によって構成され、各パネル部材はボルト等の締結具２によって相互に連結されている。なお、縦枠１を構成するパネル部材と区別するために、上枠５を構成するパネル部材を便宜上「上枠部材」と呼称する。後部上枠部材５３は後見付部５３ａを有し、該後見付部５３ａはヒンジ５３１によって図２の矢印Ｂ方向に後部上枠部材５３本体に対して回動可能に支持されている。
【００１２】
縦枠１の上端部には、図３に示すように上枠５を固定するためのねじ穴を有する複数の取付金１４が溶接等で取り付けられている。また、上枠５の長手方向（間口方向）の端部には固定用の穴５ａ、及び長穴５ｂが設けられ、縦枠１と上枠５とはボルトからなる締結具２によって固定されている。典型例として、上記縦枠１の前部パネル部材１１及び後部パネル部材１３、並びに上記上枠５の前部上枠部材５１及び後部上枠部材５３は共通化され、縦枠１の中間部パネル部材１２と上枠５の中間部上枠部材５２は種々の幅寸法または形状、意匠に応じて選択使用出来るように複数種類のものが用意される。
【００１３】
次に、上記のように構成された実施の形態１の動作について説明する。まず、三方枠の縦枠１と上枠５の組立、及び建屋壁３に設けられた開口部３ａに対する組付けは特に限定されるものではなく、例えば従来公知の技術は特別な制限なく用いることが出来る。なお、将来的な意匠変更等に対応可能とするために、縦枠１の前部パネル部材１１及び後部パネル部材１３、及び上枠５の前部上枠部材５１及び後部上枠部材５３を建物側のアンカー等に固定し、中間部パネル部材１２と中間部上枠部材５２とは、建物側のアンカー等に直接固定せず、隣接するパネル部材、上枠部材に対して締結具２によって係止させ、締結具２を外すことによって取外し可能にしておくことが必用である。
【００１４】
一方、三方枠取付後に、例えばリフォーム、その他の理由により中間部パネル部材１２及び中間部上枠部材５２を交換するときは、まず縦枠１を構成する後部パネル部材１３の後見付部１３ｂを矢印Ａ方向に回動して開き、中間部パネル部材１２を固定している全ての締結具２を外した後、中間部パネル部材１２を図１の右方向に取外す。次に、上枠５の後見付部５３ａを開き中間部上枠部材５２を固定している全ての締結具２を外した後、中間部上枠部材５２を下方向に取外す。その後、別途、新規に手配した例えば図４に示す表面中央部が凹んだ形状の中間部パネル部材１２Ａ及び図示省略している中間部上枠部材を上記と逆の手順で設置する。
【００１５】
上記のようにこの実施の形態１によれば、エレベータの三方枠を構成する縦枠１と上枠５のパネル部材を枠幅方向（前後方向）に３分割（前部パネル部材、中間部パネル部材、後部パネル部材）し、前部パネル部材と後部パネル部材は枠幅に関わらず同一形状製品とし、中間部パネル部材に、図４に例示する形状の異なる中間部パネル部材１２Ａ、あるいは図５に例示する枠幅の狭い中間部パネル部材１２Ｂ等を用意するなど汎用性を持たせることで、さまざまな枠幅、特殊形状に対応することが出来る。
【００１６】
また、据付後も後部パネル部材と前部パネル部材とは独立した状態で中間部パネル部材を着脱可能としたので、顧客要求に応じて意匠を変化させることが出来る。このように、三方枠の枠幅に関わらず前後部同一パネル部材を手配できる事で工作・設計省力化が見込める。また、三方枠据付後に中間部パネル部材を着脱できる為、顧客の要求に応じて主要部枠（中間部パネル部材）の材質、塗色等の意匠性を変更する事が可能となる。さらに、分割出荷が可能なため、輸送時・据付時の省スペース化も見込める。
【００１７】
実施の形態２．
図６〜図８は、この発明の実施の形態２によるエレベータの三方枠装置の要部を説明するもので、図６は上枠の構造を示す側面断面図、図７は縦枠の構造を示す水平方向断面図、図８は図７の丸で囲む部分の拡大断面図である。この実施の形態２は、実施の形態１における中間部パネル部材、及び中間部上枠部材を、それぞれ隣接する前部パネル部材、及び前部上枠部材に対してヒンジにより回動できるように構成したものである。即ち、図において、縦枠１Ａを構成する中間部パネル部材１２Ｃは前部パネル部材１１の折曲部１１ｂに係止されたヒンジ１２１により、着脱時に図５の矢印Ｃで示すように回動可能に支持されている。また、上枠５Ａを構成する中間部上枠部材５２Ａは、前部上枠部材５１の折曲部に固定されたヒンジ５２１により、着脱時に図４の矢印Ｄで示すように回動可能に支持されている。その他の構成は上記実施の形態１と同様であるので説明を省略する。
【００１８】
上記のように構成された実施の形態２においては、先ず縦枠１Ａの後見付部１３ｂを図７の矢印Ａのように開き、ボルトからなる手前側の係止具２を外す。次に中間部パネル部材１２Ｃを矢印Ｃのように回動して開き、ヒンジ１２１を固定している係止具２を外して中間部パネル部材１２Ｃを取り外す。次に、上枠５Ａの後見付部５３ａを開いて、後部上枠部材５３と中間部上枠部材５２Ａを固定している係止具２を外す。次いで、中間部上枠部材５２Ａを図６の矢印Ｄのように回動して開き、ヒンジ５２１と前部上枠部材５１を固定している係止具２を外し、後部上枠部材５３と前部上枠部材５１から中間部上枠部材５２Ａを取り外す。その後別途新規に手配した縦枠及び上枠の中間部パネル部材及び中間部縦枠部材（何れも図示省略）を上記と逆の手順で設置する。
【００１９】
上記のように実施の形態２によれば、縦枠１Ａの中間部パネル部材１２Ａ、及び上枠５Ａの中間部上枠部材５２Ａにそれぞれヒンジ１２１、及び５２１を設け、着脱時に開閉し得るようにしたので、交換作業が容易で保守、リフォーム時の作業性が一層向上し、しかも三方枠のさまざまな枠幅、形状への工作・設計流用手段が確立され、かつ据付後の意匠変更等顧客要求への柔軟な対応ができる等、実施の形態１と同様の効果が得られる。
【００２０】
なお、上記実施の形態１、２では縦枠の後部パネル部材５３の後見付部１３ｂを開閉するヒンジ１３１を折返し部１３ｃに固定したが、要するに締結具２を着脱するための作業空間が確保されれば良く、ヒンジ１３１の取付位置や後見付部１３ｂの回動方向等は、例示したものに限定されるものではないことは言うまでもない。その他、この発明の範囲内で種々の変形や変更が可能であることは当然である。
【図面の簡単な説明】
【００２１】
【図１】この発明の実施の形態１に係るエレベータの三方枠装置の縦枠設置部を示す水平方向断面図。
【図２】図１の三方枠装置の上枠を示す鉛直方向断面図。
【図３】図１の三方枠装置の上枠と縦枠の締付部を示す斜視図。
【図４】図１に示す縦枠の第１の変形例を示す水平方向断面図。
【図５】図１に示す縦枠の第２の変形例を示す水平方向断面図。
【図６】この発明の実施の形態２によるエレベータの三方枠装置の上枠の構造を示す側面断面図。
【図７】図６の三方枠装置の縦枠の構造を示す水平方向断面図。
【図８】図７の丸で囲む部分の拡大断面図。
【符号の説明】
【００２２】
１、１Ａ  縦枠、  １１  前部パネル部材、  １１ａ  折返し部、  １１ｂ  折曲部、  １２、１２Ａ、１２Ｂ、１２Ｃ  中間部パネル部材、  １２ａ、１２ｂ  折曲部、  １２１  ヒンジ、  １３  後部パネル部材、  １３ａ  折曲部、  １３ｂ  後見付部、  １３ｃ  折返し部、  １３１  ヒンジ、  １４  取付金、  ２  締結具、  ３  建屋壁、  ３ａ  開口部、  ４  仕上材、  ５、５Ａ  上枠、  ５ａ  穴、  ５ｂ  長穴、  ５１  前部上枠部材（パネル部材）、  ５２、５２Ａ  中間部上枠部材（パネル部材）、  ５２１  ヒンジ、  ５３  後部上枠部材（パネル部材）、  ５３ａ  後見付部、  ５３１  ヒンジ。
【図１】
2008100800.tif 000003
【図２】
2008100800.tif 000004
【図３】
2008100800.tif 000005
【図４】
2008100800.tif 000006
【図５】
2008100800.tif 000007
【図６】
2008100800.tif 000008
【図７】
2008100800.tif 000009
【図８】
2008100800.tif 000010